(57)【特許請求の範囲】
【請求項１】
合成樹脂或いは紙等の可撓性材料からなる板状材を折曲して得られる折曲部と該折曲部から延設する保持部とからなるシート状物保持具で、前記シート状物保持具は収納される収納ポケットへ収納可能なシート状物の幅より狭く、前記折曲部から延設する一方の保持部は支持されるシート状物の寸法より長く、前記折曲部から延設する他方の保持部は、その先端が一方の保持部先端に対して一方の保持部が延設する方向と垂直な方向にずれてなるシート状物保持具。
【発明の詳細な説明】
【技術分野】
【０００１】
本発明は財布の収納機能として設けられたカードポケットやカードホルダーから必要な
カードや名刺、用紙等を容易に出没させることのできるカード保持具に関するものである。
【背景技術】
【０００２】
近年は店舗や機関ごとにカードを発行して集客に努めている。又、免許証、診察券等徐々にカード数が増え財布の中に装備されているカードポケットだけでは賄えず、数枚重ねてカード保管することが多くなってきた。しかし安全性重視のカードポケットはカード
の抜け落ち防止の為しっかり収まるよう設計されており、スーパーの支払い時カードの提示を求められても、密着し合った中から必要なカードを指先で掴んで迅速に引き出すのは容易ではなかった。又、カードや書類用紙を保管する専用のカードホルダーやポケットファイルに於いても滑り落ち、紛失防止或いは防汚の為カードや書類用紙が収納ポケットに埋没するものが多く、必要時に開口幅の狭いポケット開口部より指先を入れ取り出すのが難儀であった。これらの課題を解決するために特開平9−8513に、「カード取り出しの紐が付いた、財布のカード入れポケット」が提案されている。
【先行技術文献】
【特許文献】
【０００３】
【特許文献１】特開平９-３０８５１３
【発明の概要】
【発明が解決しようとする課題】
【０００４】
特開平９-３０８５１３に開示された「カードの取り出し紐の付いた、財布のカード入れポケット」は摩耗しにくい、柔らかく滑りの良い任意素材の紐を使用としているが紐は疲労し易く先端が垂れ下がって掴みにくくなるのが早いという課題がある。又、カードホルダーやポケットファイル等での収納ポケットは滑り落ち、紛失防止、防汚の為カードや書類用紙等は全体が埋没するよう設計されたものが多く、その為ポケット開口部内に指先を入れて引き出すのだが開口幅が狭く出しにくいという課題があった。
【課題を解決するための手段】
【０００５】
以上の課題を解決するために、第一発明は合成樹脂或いは紙等の可撓性材料か
らなる板状材を折曲して得られる折曲部と該折曲部から延設する保持部とから
なるシート状物保持具で、前記シート状物保持具は収納される収納ポケットへ
収納可能なシート状物の幅より狭く、前記折曲部から延設する一方の保持部は
支持されるシート状物の寸法より長く、前記折曲部から延設する他方の保持部
は、その先端が一方の保持部先端に対して一方の保持部が延設する方向と垂直
な方向にずれてなる構成とした。
【発明の効果】
【０００６】
本発明の保持具は上記の構成を採用しているので、支持されるカードの一方の長さ寸法
よりも長い寸法に形成された保持部の先端山頂部を摘み、引き上げれば本保持具使用時のカードはカードポケットに収納した際に起こるカードへの押し圧固定から解放されて圧が緩和されカード上部が掴みやすくなり迅速なカード提示等に対応できるという効果を発揮する。又、カードホルダー、ポケットホルダー等に於いても収納ポケットに埋没したカードや用紙類は保持具摘み部の引き上げにより折曲部に乗せられた底辺部から全体が引き上げられ、上部が出て掴みやすくなり出しやすいものとなった。
【図面の簡単な説明】
【０００７】
【図１】本発明のシート状物保持具を折曲する前の状態、例１正面図
【図２】本発明のシート状物保持具を折曲する前の状態、例１側面図
【図３】本発明のシート状物保持具を折曲する前の状態、例２正面図
【図４】本発明のシート状物保持具を折曲する前の状態、例３正面図
【図５】図１のシート状物保持具を折曲してシート状物を挟んだ図
【図６】図４のシート状物保持具を折曲してシート状物を挟んだ図
【図７】図１のシート状物保持具を折曲してシート状物を挟み財布のシート状物ポケットに入れて使用した図
【図９】図7 のＸ−Ｘ断面図でシート状物保持具先端部を引き出し、シート状物が密着押し圧固定から解放され端部が摘まみやすくなった図
【図１０】シート状物ホルダーのポケットにて図６の使用図
【発明を実施するための形態】
【０００８】
合成樹脂或いは紙等の可撓性材料からなる板状材を折曲して得られる折曲部
と該折曲部から延設する保持部とからなるシート状物保持具で、前記シート状
物保持具は収納される収納ポケットへ収納可能なシート状物の幅より狭く、前
記折曲部から延設する一方の保持部は支持されるシート状物の寸法より長く、
前記折曲部から延設する他方の保持部は、その先端が一方の保持部先端に対し
て一方の保持部が延設する方向と垂直な方向にずれてなる構成（図５、６）と
し、収納ポケットからシート状物より長い保持部先端部を引き出すことにより
シート状物が簡単に引き出される構成とした。
【実施例】
【０００９】
図９は図７の様に収納ポケットに保持具を使用してシート状物を収納したところからシート状物の寸法より長い保持部先端部２aを持って引き出すことによりシート状物も引き出され収納ポケット収納時の密着押し圧固定から解放され押し圧が緩和されたシート状物の端部が掴みやすくなっている状態。
【００１０】
図１０、１１は図６の様に保持部先端部がずれた保持具にシート状物を挟みシート状物ホルダーのポケットに挿入した使用例でホルダーのポケットは（図１０、１１）の様に滑り落ちないようシート状物全体が埋没するよう設計されたものが多いのだがシート状物保持具先端部２aを摘み引き出せばポケット両脇がガイドとなって傾くことなく全体が引き出されポケット埋没から端部が出て摘まみやすく出しやすくなる。
【００１１】
図１１に示した書類用紙のポケットホルダーにおいても用紙全体がポケットに埋没しているが上記の様に保持具の２aを引き上げれば書類用紙上部が出て摘まみやすく出しやすくなる。
【００１２】
図１.３.４の様に保持具の形態は収納ポケットに収納できる形態ならば外周が直線に限定されるものではない。更に保持される物はキャッシュカードや名刺類や書類用紙に限定されるものでなく、たとえば免許証、診察券、メモ用紙、スーパー等で発行される支払カードであってもよい。
【符号の説明】
【００１３】
１    シート状物保持具
２    シート状物保持具折曲部より延設された保持部片面.１
２a   シート状物保持具折曲部より延設された保持部片面.１の先端部
３    シート状物保持具折曲部より延設された保持部片面.２
３a   シート状物保持具折曲部より延設された保持部片面.２の先端部
４    シート状物保持具折曲部
７    財布内装備シート状物ポケット
８    財布内装備シート状物ポケット開口部
１３  シート状物ポケットホルダー
１４  シート状物ポケットホルダーのポケット
１５  シート状物ポケットホルダーのポケット開口部
【要約】 
【課題】 財布等の収納機能として設けられたカードポケットからカードを容易に引き出すことのできるカード保持具を提供する。
【解決手段】合成樹脂或いは紙等の可撓性材からなる板状材を折曲して得られる折曲部と該折曲部から延設する保持部とからなるカード保持具であって、前記折曲部は収納ポケット開口部辺幅内とし又、前記折曲部から前記保持部の少なくとも一方は支持されるカードの長さ寸法よりも長いことを特徴とした。カード寸法より長い保持部山頂部を摘み部としたこを特徴とするものである。摘み部を引き上げることによりカードポケットから密着し合ったカードを容易に引き出すことが可能になった。
【選択図】  図７【図１】
0005395296.tif 000002
【図２】
0005395296.tif 000003
【図３】
0005395296.tif 000004
【図４】
0005395296.tif 000005
【図５】
0005395296.tif 000006
【図６】
0005395296.tif 000007
【図７】
0005395296.tif 000008
【図８】
0005395296.tif 000009
【図９】
0005395296.tif 000010
【図１０】
0005395296.tif 000011
【図１１】
0005395296.tif 000012
【図１２】
0005395296.tif 000013